(57)【要約】【課題】ブラケット撮影を行なっている最中に被写体が動いたとしてもシャッタチャンスを逃さずに済む撮影装置および撮影方法を提供する。【解決手段】操作により設定された露出、フォーカス、ホワイトバランスのうちの少なくとも一つの撮影条件を変更しながらブラケット撮影を実施する（ステップＳ５０２）。被写体が動いたと判定した（ステップＳ５０５）ときにはブラケット撮影を中止して撮影条件の初期値を設定し（ステップＳ５０８）、ステップＳ５０２で撮影を実施する。【選択図】図５
2009147853.tif 000002
【特許請求の範囲】
【請求項１】
撮影条件を設定されて、その設定された撮影条件で被写体を撮影して該被写体の画像を得る撮影部と、
前記被写体の動きを検出する動き検出部と、
前記撮影部に１つの撮影条件を設定してその撮影条件での撮影を行わせる単条件モード、および前記撮影部に一連の撮影条件を順次に設定してそれら一連の撮影条件による一連の撮影を行わせる一連条件モードを有し、前記被写体が動いたことが該一連条件モード中に前記動き検出部によって検出された場合に該一連条件モードから該単条件モードへと切り換える撮影制御部とを備えたことを特徴とする撮影装置。
【請求項２】
前記撮影部が、前記被写体の画像を画像データの形式で取得するものであり、
前記動き検出部部が、前記撮影部によって得られた画像を解析して前記被写体の動きを検出するものであることを特徴とする請求項１記載の撮影装置。
【請求項３】
前記撮影部が、前記撮影条件として、露出、フォーカス、撮影倍率、輝度補正のうちの少なくとも１つを設定されるものであることを特徴とする請求項１または２記載の撮影装置。
【請求項４】
撮影条件が操作によって設定される条件設定部を備え、
前記撮影制御部が、前記一連の撮影条件として、前記条件設定部で設定された撮影条件を初期条件とする一連の撮影条件を前記撮影部に設定するものであることを特徴とする請求項１から３のうちいずれか１項記載の撮影装置。
【請求項５】
前記撮影制御部が、前記単条件モードで、前記撮影部に１つの撮影条件での連続的撮影を行わせるものであることを特徴とする請求項１から４のうちいずれか１項記載の撮影装置。
【請求項６】
前記撮影部が、前記被写体の画像を画像データの形式で取得するものであり、
前記一連条件モード中の撮影によって前記撮影部で得られた画像を解析して、前記被写体の撮影に適した撮影条件を求める適正条件解析部を備え、
前記撮影制御部が、前記一連条件モードから前記単条件モードへと切り換えたときに、前記撮影部に、前記適正条件解析部によって求められた撮影条件を設定するものであることを特徴とする請求項１から５のうちいずれか１項記載の撮影装置。
【請求項７】
前記撮影制御部が、前記動き検出部による検出結果から前記単条件モード中に前記被写体の動きが止まったことが判った場合に、該単条件モードから前記一連条件モードへと切り換えるものであることを特徴とする請求項１から６のうちいずれか１項記載の撮影装置。
【請求項８】
前記撮影部が、前記被写体の画像を画像データの形式で取得するものであり、
前記一連条件モード中の撮影によって前記撮影部で得られた画像を解析して、前記被写体の撮影に適した撮影条件を求める適正条件解析部を備え、
前記撮影制御部が、前記単条件モードから前記一連条件モードへと切り換えたときに、前記撮影部に、前記適正条件解析部によって求められた撮影条件を初期条件とする一連の撮影条件を設定するものであることを特徴とする請求項７記載の撮影装置。
【請求項９】
前記被写体の顔を検出する顔検出部を備え、
前記撮影部が、前記撮影条件として撮影倍率を設定されるものであり、
前記撮影制御部が、前記顔検出部によって検出された顔が前記撮影部の撮影画角に占める割合が一連の割合となる一連の撮影倍率を前記一連の撮影条件として前記撮影部に設定するものであることを特徴とする請求項１から８のうちいずれか１項記載の撮影装置。
【請求項１０】
前記撮影画角に占める顔の割合が操作によって設定される割合設定部を備え、
前記撮影制御部が、前記一連条件モードから前記単条件モードへと切り換えたときに、前記撮影部に、前記顔検出部によって検出された顔が前記撮影部の撮影画角に占める割合が前記撮影画角設定部で設定された割合となる撮影倍率を前記撮影部に設定するものであることを特徴とする請求項９記載の撮影装置。
【請求項１１】
前記被写体の顔を、前記撮影部の撮影画角内の各被写体について検出する顔検出部を備え、
前記撮影部が、前記撮影条件としてフォーカスを設定されるものであり、
前記撮影制御部が、前記顔検出部によって検出された各顔に合った各フォーカスを含んだ一連のフォーカスを前記一連の撮影条件として前記撮影部に設定するものであることを特徴とする請求項１から１０のうちいずれか１項記載の撮影装置。
【請求項１２】
前記顔検出部で検出される顔に対する撮影の優先度が操作によって設定される優先度設定部を備え、
前記撮影制御部が、前記顔検出部によって検出された各顔に合った各フォーカスを、前記優先度設定部で設定された優先度に従った順序で含んだ一連のフォーカスを前記一連の撮影条件として前記撮影部に設定するものであることを特徴とする請求項１１記載の撮影装置。
【請求項１３】
撮影条件を設定されて、その設定された撮影条件で被写体を撮影して該被写体の画像を得る撮影部を備えた撮影装置内で実行される撮影方法であって、
前記撮影部に一連の撮影条件を順次に設定してそれら一連の撮影条件による一連の撮影を行わせる一連条件撮影ステップと、
前記一連撮影ステップ中に前記被写体の動きを検出する動き検出ステップと、
前記被写体が動いたことが前記動き検出ステップで検出された場合に前記撮影部に１つの撮影条件を設定してその撮影条件での撮影を行わせる単条件撮影ステップとを有することを特徴とする撮影方法。
【発明の詳細な説明】
【技術分野】
【０００１】
本発明は、被写体を撮影する撮影装置、およびその撮影装置で被写体を撮影するときの撮影方法に関する。
【背景技術】
【０００２】
近年、撮影の高速化や記録媒体の大容量化が進み連続的に撮影を行なって大量の画像を取得して記録媒体にその大量の画像を記録することができるようになってきている。このように連続的に大量の画像の撮影を行なうことができると、ユーザは同じ被写体を連続的に撮影してそれらの画像の中に、自分の望む瞬間の被写体が写った画像を得ることができる。しかし、通常のデジタルカメラにおいては、特許文献１のようにカメラ内部で撮影条件が勝手に設定されてしまうために、ユーザが本当に望む印象の画像がなかなか得られない。
【０００３】
そこで、特許文献２のようにユーザが操作により撮影条件を設定してユーザが望む撮影条件で撮影を行なうことができる構成にしているものがある。しかしこの特許文献２のように撮影条件の中のホワイトバランスしか操作しない場合には操作は容易だがユーザの望みの画像を得るには操作の自由度が不足し、逆に、ホワイトバランス以外の種々の撮影条件も操作する場合にはユーザの望みの画像を得るための自由度は十分であるが、プロのような高度な知識や技術がないと操作が難しい。
【０００４】
通常のデジタルカメラで、ユーザが望む印象の画像が得られる撮影条件で素人でも撮影を行なうことができるようにするためには、ホワイトバランスや露出やピントなどといった複数の撮影条件を変えて連続的に同じ被写体を撮影するブラケット撮影を行なう構成にするのが望ましい（例えば特許文献３）。ユーザが撮影条件を操作により設定してブラケット撮影を行なう構成にすると、ユーザが操作により設定した撮影条件を中心にして撮影条件を少しずつ変えながら同じ被写体を何枚も撮影することができるので、それらの撮影画像の中にユーザが望む画像をほぼ確実に得ることができる。
【０００５】
また、これらの撮影画像中からユーザの望む印象の画像を選択するために特許文献４の技術を使ってカメラ内にブラケット撮影の記録領域となるフォルダを作成しておいてそのフォルダ内にブラケット撮影により得た画像を記録して、撮影後に不必要な画像（撮影条件がずれた画像等）を消去する構成にすることが考えられている。
【０００６】
また、特許文献５を使って記録媒体が無駄に使用されないように撮影画像を記録する前にプレビュー表示をして必要な画像と不必要な画像とを記録時にユーザの操作に応じて選択する構成にすることもできる。
【０００７】
しかしながら、ブラケット撮影においては、被写体が動かないものである場合には各撮影回ごとに撮影条件の異なる画像を好適に得ることができるが、被写体が動くようなもの（例えば人）である場合には被写体の各動きのうち一部のみが適切な撮影条件となり、多くの動きが不適切な撮影条件になってシャッタチャンスを逃してしまう確率が高い。
【０００８】
これを回避するには、動く被写体を撮影するときと動かない被写体を撮影するときとでブラケット撮影と通常撮影とを操作により切り替える構成にしておくと良い（例えば特許文献４参照）。
【０００９】
しかし、被写体の中にはブラケット撮影中に突然動き出す被写体もあり、その場合には上記特許文献４等の構成では操作が間に合わずにシャッタチャンスを逃すこととなる。
【特許文献１】特開２００７−１２１６５４号公報
【特許文献２】特開２００２−２１８４９５号公報
【特許文献３】特開２００３−９２７０３号公報
【特許文献４】特開２００５−２２９１９１０号公報
【特許文献５】特開２００６−５０３３６号公報
【特許文献６】特開２００５−１３６６５４号公報
【発明の開示】
【発明が解決しようとする課題】
【００１０】
本発明は、上記事情に鑑みて、ブラケット撮影を行なっている最中に被写体が動いたとしてもシャッタチャンスを逃さずに済む撮影装置および撮影方法を提供することを目的とする。
【課題を解決するための手段】
【００１１】
上記目的を達成する本発明の撮影装置は、
撮影条件を設定されて、その設定された撮影条件で被写体を撮影して該被写体の画像を得る撮影部と、
上記被写体の動きを検出する動き検出部と、
上記撮影部に１つの撮影条件を設定してその撮影条件での撮影を行わせる単条件モード、および上記撮影部に一連の撮影条件を順次に設定してそれら一連の撮影条件による一連の撮影を行わせる一連条件モードを有し、上記被写体が動いたことがその一連条件モード中に上記動き検出部によって検出された場合にその一連条件モードからその単条件モードへと切り換える撮影制御部とを備えたことを特徴とする。
【００１２】
上記本発明の撮影装置によれば、上記動き検出部によって上記被写体が動いたことが上記一連条件モード中に検出された場合には、撮影制御部によって上記一連条件モードから上記単条件モードへと切り替えられて撮影が行なわれる。
【００１３】
ここで本発明にいう上記一連条件モードは、いわゆるブラケット撮影を意味するものであるので、本発明の撮影装置では、ブラケット撮影を行なうとともに、そのブラケット撮影を行なっている最中に被写体が動いたことを上記動き検出部の検出結果を受けて検知した場合には、単条件モードへと自動的に切り替えて以降のブラケット撮影を打ち切ることになる。
【００１４】
このため被写体が途中から動いたときにはブラケット撮影が行なわれなくなるので、被写体の動きを追った撮影に自然と移行することができ、シャッタチャンスを逃さずに済む。
【００１５】
さらに上記撮影制御部が、例えばユーザ操作により入力された撮影条件を上記撮影部に設定してその撮影条件を中心に撮影条件を変えてブラケット撮影を行なう構成にすると、ユーザが望む画像をブラケット撮影中にほぼ確実に得ることができる。
【００１６】
ここで。上記撮影部が、上記被写体の画像を画像データの形式で取得するものであり、
上記動き検出部が、上記撮影部によって得られた画像を解析して上記被写体の動きを検出するものであることが好ましい。
【００１７】
上記動き検出部が上記撮影部によって得られた画像を解析して被写体の動きを検出するものであると、外部に動き検出用のセンサなどをわざわざ設ける必要がなくなって部品点数の低減を図ることができる。
【００１８】
また、上記撮影部が、上記撮影条件として、露出、フォーカス、撮影倍率、輝度補正のうちの少なくとも１つを設定されるものであることが好ましい。
【００１９】
そうすると、ブラケット撮影において、露出、フォーカス、撮影倍率、輝度補正のうちの少なくとも一つを撮影条件として変化させることによって、撮影画像にいろいろなバリエーションを持たせることが可能となる。こうしてバリエーションを持たせると、ユーザは自分の望む画像をそのバリエーションを持たせた、自分の望む画像に近い多数の画像の中から少なくとも一つ選択することが可能になる。
【００２０】
また、撮影条件が操作によって設定される条件設定部を備え、
上記撮影制御部が、上記一連の撮影条件として、上記条件設定部で設定された撮影条件を初期条件とする一連の撮影条件を上記撮影部に設定するものであることが好ましい。
【００２１】
そうすると、前述した様に、ユーザが望む撮影条件を上記条件設定部で撮影制御部に設定しその撮影制御部が撮影部にその撮影条件を設定して一連の撮影条件でブラケット撮影を行なうことができるので、ユーザが望む画像がほぼ確実に得られる。
【００２２】
上記撮影制御部が、上記単条件モードで、上記撮影部に１つの撮影条件での連続的撮影を行わせるものであることが好ましい。
【００２３】
上記ブラケット撮影が行なわれている最中に被写体が動いた場合にはその被写体の動きを追って撮影を続けるのが、シャッタチャンスを得るのに適していると考えられる。
【００２４】
上記撮影部が、上記被写体の画像を画像データの形式で取得するものであり、
上記一連条件モード中の撮影によって上記撮影部で得られた画像を解析して、上記被写体の撮影に適した撮影条件を求める適正条件解析部を備え、
上記撮影制御部が、上記一連条件モードから上記単条件モードへと切り換えたときに、上記撮影部に、上記適正条件解析部によって求められた撮影条件を設定するものであることが好ましい。
【００２５】
そうすると、ブラケット撮影の途中で被写体が動いたときには被写体が動く前にブラケット撮影された複数枚の画像を使って上記適正条件解析部によって最適の撮影条件が求められてその最適の撮影条件で単条件モードでの撮影が行なわれる。このため、ブラケット撮影が途中で打ち切られても直前に撮影された画像に基づいて最適の撮影条件が設定されるので、ユーザが望む画像が得られる確率は高くなる。
【００２６】
また、上記撮影制御部は、上記動き検出部による検出結果から上記単条件モード中に上記被写体の動きが止まったことが判った場合に、単条件モードから上記一連条件モードへと切り換えるものであっても良い。
【００２７】
ここで例えば被写体が動く直前の撮影条件で被写体が動いている間中の単条件モードによる撮影を連続して行なう構成にしておくと、上記のように被写体の動きが止まったことが判った場合には、上記単条件モードから上記一連条件モードであるブラケット撮影に切り替えて被写体が動く前のブラケット撮影を継続して行なうことができる。
【００２８】
また上記撮影部が、上記被写体の画像を画像データの形式で取得するものであり、
上記一連条件モード中の撮影によって上記撮影部で得られた画像を解析して、上記被写体の撮影に適した撮影条件を求める適正条件解析部を備え、
上記撮影制御部が、上記単条件モードから上記一連条件モードへと切り換えたときに、上記撮影部に、上記適正条件解析部によって求められた撮影条件を初期条件とする一連の撮影条件を設定するものであっても良い。
【００２９】
そうすると、最適条件を初期値として撮影条件を変えながらの一連のブラケット撮影を行なうことができるので、ユーザが望む画像を得易くなる。
【００３０】
また上記被写体の顔を検出する顔検出部を備え、
上記撮影部が、上記撮影条件として撮影倍率を設定されるものであり、
上記撮影制御部が、上記顔検出部によって検出された顔が上記撮影部の撮影画角に占める割合が一連の割合となる一連の撮影倍率を上記一連の撮影条件として上記撮影部に設定するものであっても良い。
【００３１】
そうすると、撮影画角内の人物の顔が占める割合をいろいろと変化させてのブラケット撮影を行なうことができる。
【００３２】
ここで、上記撮影画角に占める顔の割合が操作によって設定される割合設定部を備え、
上記撮影制御部が、上記一連条件モードから上記単条件モードへと切り換えたときに、上記撮影部に、上記顔検出部によって検出された顔が上記撮影部の撮影画角に占める割合が上記撮影画角設定部で設定された割合となる撮影倍率を上記撮影部に設定するものであることが好ましい。
【００３３】
そうすると、撮影倍率を変化させてブラケット撮影を行なっている最中に被写体が動いた場合には、操作により上記割合設定部で設定された撮影画角に示す顔の割合になるように撮影倍率が調整されて上記単条件モードでの撮影が行なわれる。このため、ブラケット撮影が途中で打ち切られるようなことがあっても、ユーザの望む画像が確実に得られる。
【００３４】
また、上記被写体の顔を、上記撮影部の撮影画角内の各被写体について検出する顔検出部を備え、
上記撮影部が、上記撮影条件としてフォーカスを設定されるものであり、
上記撮影制御部が、上記顔検出部によって検出された各顔に合った各フォーカスを含んだ一連のフォーカスを上記一連の撮影条件として上記撮影部に設定するものであっても良い。
【００３５】
そうすると、撮影画角中の複数の人物それぞれにフォーカスが設定された画像が人物数分得られる。
【００３６】
また、上記顔検出部で検出される顔に対する撮影の優先度が操作によって設定される優先度設定部を備え、
上記撮影制御部が、上記顔検出部によって検出された各顔に合った各フォーカスを、上記優先度設定部で設定された優先度に従った順序で含んだ一連のフォーカスを上記一連の撮影条件として上記撮影部に設定するものであると良い。
【００３７】
そうすると、ブラケット撮影が途中で打ち切られたとしても早い撮影回に優先順位の高い人の撮影が行なわれるので、ユーザの望む画像がほぼ確実に得られる。
【００３８】
上記課題を達成する本発明の撮影方法は、撮影条件を設定されて、その設定された撮影条件で被写体を撮影して該被写体の画像を得る撮影部を備えた撮影装置内で実行される撮影方法であって、
上記撮影部に一連の撮影条件を順次に設定してそれら一連の撮影条件による一連の撮影を行わせる一連条件撮影ステップと、
上記一連撮影ステップ中に上記被写体の動きを検出する動き検出ステップと、
上記被写体が動いたことが上記動き検出ステップで検出された場合に前記撮影部に１つの撮影条件を設定してその撮影条件での撮影を行わせる単条件撮影ステップとを有することを特徴とする。
【００３９】
上記本発明の撮影方法によれば、被写体が動いていないときには、上記一連条件撮影ステップで一連の撮影条件によるブラケット撮影を行なうことができ、さらに被写体が動いたことが上記動き検出ステップで検出された場合には、ブラケット撮影を中止して上記単条件撮影ステップで被写体の動きを追って連続的に単条件撮影を行なうことができるので、シャッタチャンスを逃さずに済む確率が高くなる。
【発明の効果】
【００４０】
以上、説明したように、ブラケット撮影を行なっている最中に被写体が動いたとしてもシャッタチャンスを逃さずに済む撮影装置および撮影方法が実現する。
【発明を実施するための最良の形態】
【００４１】
以下、図を参照して本発明の実施の形態を説明する。
【００４２】
図１は、本発明の撮影装置の第１実施形態であるデジタルカメラを斜め上前方から見た外観斜視図である。
【００４３】
図１に示すデジタルカメラ１００は、被写体光を捉えて画像データを生成するものであり、このデジタルカメラ１００の前面には、光学ズームレンズを内蔵したズーム鏡胴１１１と、撮影に同期してフラッシュ光を発するフラッシュ発光窓１１２と、暗所など低コントラスト時のオートフォーカス（ＡＦ）精度を向上させるためのＡＦ補助光ランプ１１３等が備えられている。
【００４４】
また、このデジタルカメラ１００の上面には、電源スイッチ１１４と、レリーズボタン１１５と、レリーズボタン１１５の周囲に回転式のモードダイヤル１１６が備えられている。モードダイヤル１１６はそのダイヤルを回すことにより静止画モードと動画モードとを交互に切り換えることができるようになっている。
【００４５】
図２は、図１に示すデジタルカメラの背面を示す外観図である。
【００４６】
図２に示すデジタルカメラ１００の背面には、ＬＣＤパネル１１７Ａ、ファインダ１２４、ＭＥＮＵ／ＯＫボタン１１８、ＤＩＳＰ／ＢＡＣＫボタン１１９、フォトモードボタン１２０、再生ボタン１２１、十字キー１２２、ズームボタン１２３などが備えられている。
【００４７】
ＬＣＤパネル１１７Ａは、撮影レンズにより被写体光を捉えて生成された画像データからなる画像、および種々の設定時における情報を表示するものである。
【００４８】
ＭＥＮＵ／ＯＫボタン１１８は、撮影時や再生時における各種のメニューをＬＣＤパネル１１７Ａ上に表示させたり、表示されたメニューの中から所望のメニューを選択し決定するためのボタンである。
【００４９】
ＤＩＳＰ／ＢＡＣＫボタン１１９は、ＬＣＤパネル１１７Ａ上に表示された画面の状態を切り換えたり、ＭＥＮＵ／ＯＫボタン１１８等による操作を１つ前の状態に戻したり操作を取り消したりするためのボタンである。
【００５０】
フォトモードボタン１２０は、ピクセル数，感度，色味，プリント枚数等を設定するためのボタンである。
【００５１】
再生ボタン１２１は、後述する記録媒体に記録された撮影画像を、ＬＣＤ１１７に再生表示するためのボタンである。
【００５２】
十字キー１２２は、様々なモードでその役割が変化し、例えば静止画モードではマクロボタンやフラッシュボタンであったり、再生モードではＬＣＤパネル１１７Ａに表示したサムネイルの選択ボタンであったりする。マクロボタンは、マクロ撮影を行なうか否かを切り換えるためのボタンであり、一度押下するとマクロ撮影モードとなり、再度押下するとマクロ撮影モードが解除される。フラッシュボタンは、押下する毎に、オートフラッシュ、赤目低減フラッシュ、強制フラッシュ、フラッシュ禁止、スローシャッタでのフラッシュ、およびオートフラッシュというようにフラッシュの状態を順繰りに切り換えるためのボタンである。
【００５３】
ズームボタン１２３は、左方に向けて押下することにより望遠側（テレ側）にズームインするとともに左方に向けて押下することにより広角側（ワイド側）にズームアウトするためのボタンである。
【００５４】
次に、図１、図２に示したデジタルカメラ１００の内部構成について説明する。
【００５５】
図３は、図１、図２に示したデジタルカメラ１００の内部構成を示すブロック図である。
【００５６】
このデジタルカメラ１００の動作はＣＰＵ１３０と画像処理部１４０との連携により制御される。画像処理部１４０は、画像処理専用プロセッサで構成されており、ＣＰＵ１３０からの指示に応じてメインメモリＭＥＭ内のプログラムにしたがって画像処理プロセスを実行する。その画像処理部１４０には、メモリ制御部１４１とデジタル信号処理部１４２と動きベクトル検出部１４３と画像判別部１４４と圧縮伸長部１４５と積算部１４６とが備えられている。
【００５７】
一方、ＣＰＵ１３０の入力部には図２に示すＭＥＮＵ／ＯＫボタン１１８、ＤＩＳＰ／ＢＡＣＫボタン１１９、フォトモードボタン１２０、再生ボタン１２１、十字キー１２２、ズームボタン１２３、レリーズボタン１１４が備えられている操作部ＯＰが接続されており、その操作部ＯＰから操作信号が供給されてくると、ＣＰＵ１３０は、その操作信号に応じて撮像素子１３１、撮像信号処理部１３２それぞれに処理を実行させ、撮像素子１３１に生成させた画像信号を撮像信号処理部内のＡＤＣ１３３でデジタル信号に変換させた後の画像信号の画像処理については、画像処理部１４０を構成する画像処理プロセッサに実行させる。なお撮像信号処理部１３２には、ＣＤＳ（Ｃｏｒｒｅｌａｔｉｏｎ  Ｄｏｕｂｕｌｅ  Ｓａｍｐｌｉｎｇ）１３２ＡとＡＷＢ（Ａｕｔｏ  Ｗｈｉｔｅ  Ｂｌａｎｃｅ）ゲイン調整部１３２ＢとＡ／Ｄ部１３２Ｃとが備えられており、ＣＤＳ１３２Ａでは２回サンプリングが行われることによりサンプリングノイズが除去され、ＡＷＢゲイン調整部ではホワイトバランスの調整が行なわれ、Ａ／Ｄ部１３２Ｃではアナログ信号からデジタル信号への変換が行なわれる。
【００５８】
また、図３の中にはアドレスバス１３０Ｂとデータバス１３０Ｃとの２つのバスが示されている。その２つのバスのうちのアドレスバス１３０Ｂを用いてＣＰＵ１３０が画像処理部１４０にアクセスしたり、画像処理部１４０がＣＰＵ１３０にアクセスしたりする。また、その２つのバスのうちのデータバス１３０Ｃを経由してＣＰＵ１３０からの指示内容が画像処理部１４０内の各部１４１〜１４６に通知されたり、逆に各部１４１〜１４６からのプロセスの進行状況などがＣＰＵ１３０に通知されたりする。
【００５９】
さらに、Ａ／Ｄ部１３２Ｃとデータバス１３０Ｃ側との処理タイミングを合わせるために画像処理部１４０内のメモリ制御部１４１によって撮像信号処理部１３２内のＡ／Ｄ部１３２Ｃから出力されたデジタルの画像データがデータバス１３０Ｃ上に導かれる構成になっている。
【００６０】
この様にＣＰＵ１３０と画像処理部１４０との連携によってその動作が制御されるデジタルカメラ１００の構成および動作を図３を参照して説明する。
【００６１】
図１のズーム鏡胴１１１内には、撮影レンズ１１１１や絞りなどが配備されているが、図３には撮影レンズ１１１１のみが示されている。その不図示の絞りは、レンズ駆動部１０３内の絞り制御部１０３２によって制御され開口径が調整され、その絞り制御部１０３２の動作はＣＰＵ１３０によって制御される構成になっている。また撮影レンズ１１１１の中にはズームレンズやフォーカスレンズがあり、これらのレンズはレンズ駆動部１０３内のズーム制御部１０３１やＡＦ制御部１０３３によって駆動されて光軸方向に移動し、そのレンズ駆動部１０３の動作はＣＰＵ１３０によって制御される構成になっている。
【００６２】
さらに撮像素子１３１は撮像素子駆動部１３０１によって駆動されその撮像素子駆動部１３０１の動作もＣＰＵ１３０によって制御される。つまり、本実施形態においては、本発明にいう撮影制御部の一例がＣＰＵ１３０によって構成される。また撮像素子駆動部１３０１とレンズ駆動部１０３と撮像素子１３１とで本発明にいう撮影部の一例が構成される。
【００６３】
このＣＰＵ１３０の制御の下に撮像素子駆動部１３０１によって電子シャッタが撮像素子１３１に設定されてその撮像素子１３１で画像データが生成され電子シャッタのオフタイミングで画像データが後段の撮像信号処理部１３２へと出力される。
【００６４】
撮像信号処理部１３２では、撮像素子１３１から出力された画像データのノイズ低減処理等が行なわれノイズ低減処理が行なわれた画像データが後段のＡ／Ｄ（Ａｎａｌｏｇｕｅ  Ｄｉｇｉｔａｌ）部１３２Ｃへと供給される。そのＡ／Ｄ部１３２Ｃではアナログの画像データがデジタルの画像データに変換される。
【００６５】
このＡ／Ｄ部１３３でアナログの画像データがデジタルの画像データに変換された後、ＣＰＵ１３０からのプロセススタート信号を受けた画像処理部１４０内のメモリ制御部１４０によって１フレーム分の画像データが次々とデータバス１３０Ｃ上に導かれ、データバス１３０Ｃ上に導かれた画像データが次々とデジタル信号処理部１４２へと供給される。
【００６６】
ここで、まず電源が投入されたときに撮影光学系が捉えている被写体をＬＣＤ１１７のＬＣＤパネル１１７Ａ（図２参照）上に表示するための動画データ（以降スルー画データという）の処理の流れを説明する。
【００６７】
ＣＰＵ１３０は、撮像素子駆動部１３０１に指示して所定のタイミングごとに撮像素子１３１を繰り返し駆動させて撮像素子から間引いて画像信号を出力させては撮像信号処理部１３２に次々と出力させ、Ａ／Ｄ部１３２Ｃでデジタルの画像データに変換させた後のスルー画データを、画像処理部１４０に指示して画像処理部１４０内のメモリ制御部１４１の制御の下に次々とデータバス１３０Ｃに導かせる。
【００６８】
このメモリ制御部１４１によってデータバス１３０Ｃ上に導かれたスルー画データは、データバス１３０Ｃを経由してまずデジタル信号処理部１４２に供給される。このデジタル信号処理部１４２ではスルー画データにシェーディング補正等が施された後ＹＣ変換処理が施される。そのＹＣ変換処理が施されることによりスルー画データからＹＣ信号が生成され生成されたＹＣ信号がＣＰＵ１３０の制御の下にデータバス１３０Ｃを経由して表示制御部１１７０に供給されＬＣＤ１１７が備えるＬＣＤパネル１１７Ａ上にＹＣ信号に基づくスルー画が表示される。
【００６９】
一方、積算部１４６にも、デジタル信号処理部１４２に供給された画像信号が供給され、その画像信号に基づいて合焦位置の検出処理が行なわれたり、測光処理が行なわれたりする。この積算部１４６での積算結果を受けてＣＰＵ１３０は、レンズ駆動部１０３に指示して撮影レンズ１１１１の中のフォーカスレンズを合焦位置に移動させたり、絞り制御部１３０２に指示して絞り径を変更させたりしている。このため、いつでも適正露出に調整されたスルー画データに基づくスルー画がＬＣＤパネル１１７Ａ上に表示されることとなる。
【００７０】
ここで、ＬＣＤパネル１１７Ａ上のスルー画が参照され撮影者によってレリーズボタン１１５が押されると、ＣＰＵ１３０はそのレリーズボタン１１５の押下操作を受けて撮影処理を開始する。
【００７１】
ＣＰＵ１３０は、撮像素子駆動部１３０１に指示して撮像素子１３１に撮影を開始させ、全画素からなる画像信号を撮像信号処理部１３２へと出力させる。撮像素子１３１から出力させた全画素からなる画像データは、撮像信号処理部１３２でノイズの低減が行なわれた後デジタルの画像データに変換される。
【００７２】
この撮像信号処理部１３２から出力されるデジタルの画像データは、ＣＰＵ１３０の制御の下にメモリ制御部１４１によってデータバス１３０Ｃ上に導かれデータバス１３０Ｃ上に導かれた画像データがデジタル信号処理部１４２に供給される。このデジタル信号処理部１４２ではシェーディング補正が行なわれた後ＹＣ信号への変換処理が施され、その変換処理により生成されたＹＣ信号が圧縮伸張処理部１４５に供給される。この圧縮伸張処理部１４５ではＹＣ信号の圧縮が行なわれて圧縮されたＹＣ信号が外部メモリ制御部１５０に供給される。
【００７３】
このときＣＰＵ１３０によって、撮影情報や圧縮に係わる情報が圧縮されたＹＣ信号に付加されて圧縮されたＹＣ信号が画像ファイルにされ、その画像ファイルが外部メモリ制御部１５０に制御され記録媒体１５１に記録される。
【００７４】
ここで、本実施形態においては、ユーザが望む撮影条件の画像が確実に得られるように高フレームレートの撮像素子１３１を採用して、撮影制御部の一例を構成するＣＰＵ１３０が、撮影操作を受けて、撮影条件をレンズ駆動部１０３とＡＷＢ調整部１３２Ｂとに順次に設定して撮影を行なう一連条件モード、つまりブラケット撮影を行なう構成を提案している。この構成にすると、複数枚の画像の中にユーザが望む画像がほぼ確実に得られる。なお、前述した様に本発明にいう一連条件モードがブラケット撮影を意味するものであるので、以降の説明においては一連条件モードをブラケット撮影と記述する場合があり、本発明にいう単条件モードを静止画撮影と記述する場合がある。
【００７５】
しかし、前述した様にブラケット撮影は、被写体が止まっていれば良いが、被写体が途中から動くようなことがあるとシャッタチャンスを逃すおそれがある。
【００７６】
そこで本実施形態においては、画像処理プロセッサで構成される画像処理部１４０に動きベクトル検出部１４３を設けてこの動きベクトル検出部１４３で被写体の動きを検出して、ブラケット撮影中に被写体が動いたときには、ＣＰＵ１３０がその動きベクトル検出部１４３の判別結果を受けてブラケット撮影を中止する処理を実行する。また本実施形態ではブラケット撮影を中止している最中においてはＣＰＵ１３０が、撮像素子駆動部１３０１に指示して撮影条件を変更せずに静止画撮影を断続的に行なって、被写体が止まったことが上記動きベクトル検出部１４３で検出されたときにはその検出結果を受けてＣＰＵ１３０はレンズ駆動部１０３や撮像素子駆動部１３０１やＡＷＢゲイン調整部１３２Ｂに初期の設定値を再設定してブラケット撮影を再開する処理を実行する。
【００７７】
ここで、本実施形態では、撮影前にそのブラケット撮影の撮影条件をユーザ操作により予め設定する構成にしてある。
【００７８】
図４は、メニューボタン等の操作によりＬＣＤパネル１１７Ａ上に表示される撮影条件の設定画面を説明する図である。
【００７９】
図４の左側には最上位の設定画面が示されており、中央には、最上位の画面が操作されたときに切り換えられる下位の画面が示されている。
【００８０】
図４の左側には、ブラケット撮影中に変更される撮影条件として３種類の撮影条件が示されている。十字キー１２２（図２参照）の操作等によりそれらのいずれかが指定されると、中央の画面に切り換えられる。
【００８１】
図４の例では変更される撮影条件としては、露出／フォーカス／ホワイトバランスと補正レベルと顔範囲との３種類が掲げられている。
【００８２】
まず一番左側の設定画面中の「露出／フォーカス／ホワイトバランス」が十字キー１２２の操作により選択されてＭＥＮＵ／ＯＫボタン１１８が操作されたときに表示される設定画面を説明する。
【００８３】
図の一番左側の設定画面中の「露出／フォーカス／ホワイトバランス」が十字キー１２２（図１参照）とＭＥＮＵ／ＯＫボタン１１８により選択操作されると、図の中央上にある画面に切り換えられる。その中央上の設定画面の中には、露出においては、露出を変更してのブラケット撮影の撮影枚数とＥＶ（Ｅｘｐｏｓｕｒｅ  Ｖａｌｕｅ）を単位とした露出の変化量を設定する設定欄、フォーカスにおいては、フォーカスを変更してのブラケット撮影の撮影枚数とフォーカスをどの程度の変化量で動かすかを示すレベルを設定する設定欄、ホワイトバランスにおいては、ホワイトバランスを変化させてのブラケット撮影の撮影枚数とホワイトバランスをどの程度の変化量で動かすかを示すレベルを設定する設定欄がそれぞれ表示される。この設定欄中の四角の部分に十字キー１２２の操作により枚数等が設定される。なお、図中の「レベル」については、何段階か設定可能とし、レベルの目安を取り扱い説明書等で説明する構成とする。
【００８４】
また、一番左側の設定画面で「補正レベル」が、十字キー１２２（図１参照）とＭＥＮＵ／ＯＫボタン１１８により選択操作されると、中央の中段の画面に切り換えられる。このときには白レベル補正を変化させてのブラケット撮影の撮影枚数とその変化量である補正レベルと、黒レベル補正を変化させてのブラケット撮影の撮影枚数とその変化量である補正レベルとを設定する設定画面が表示される。この設定画面中の四角の部分に十字キー等の操作により枚数等が設定される。なお、図中の「レベル」については、上記した様に何段階か設定可能とし、レベルの目安を取り扱い説明書等で説明する構成とする。
【００８５】
また、一番左側の設定画面中の「顔範囲」が十字キー１２２（図１参照）とＭＥＮＵ／ＯＫボタン１１８により選択操作されると、中央の下段の画面に切り換えられる。このときの画面には顔範囲つまり撮影倍率を変化させてのブラケット撮影の撮影枚数と顔範囲を変化させる変化量である倍率を設定する設定画面が表示される。このときに中心範囲が十字キー１２２の操作により選択されると、さらに画面が切り替わって顔範囲を十字キーの操作により設定する設定画面が、図４の一番右側に示すように表示される。つまりこの例では、十字キー１２２によって本発明にいう割合設定部の一例が構成される。
【００８６】
こうして、上述した３種類の撮影条件のうちのいずれかの設定が行なわれると、その設定された撮影条件が一連の条件となってブラケット撮影が行なわれる。つまり、本実施形態では、十字キー１２２とＭＥＮＵ／ＯＫボタン１１８とＬＣＤパネル１１７Ａとで、本発明にいう条件設定部の一例が構成される。
【００８７】
図５は、撮影制御部の一例であるＣＰＵ１３０と動きベクトル検出部１４３を備える画像処理部１４０とが連携して実行するブラケット撮影の処理手順を示すフローチャートである。
【００８８】
図５には、図４の露出／フォーカス／ホワイトバランスが設定された場合のブラケット撮影の処理手順が示されている。
【００８９】
まずステップＳ５０１でＣＰＵ１３０が、設定された図４の内容を参照する。ステップＳ５０２で図４の設定内容とＴＴＬ測距値とＴＴＬ測光値とを勘案して初期値をレンズ駆動部１０３と撮像素子駆動部１３０１とＡＷＢゲイン調整部１３２Ｂとに設定して撮影操作に応じてブラケット撮影を開始する。ＣＰＵ１３０は、ステップＳ５０３で、記録媒体の容量等に基づいて規定されている連続撮影の上限枚数になったかどうかを判定し、その上限枚数になっていないと判定したときにはＮ側へ進んでステップＳ５０４で画像処理部１４０内の動きベクトル検出部１４３からの検出結果を受け取る。
【００９０】
ステップＳ５０５でＣＰＵ１３０が、その検出結果が示す変化量が規定値以下であると判定したときにはＹ側へ進んでステップＳ５０６で図４で設定された撮影条件を一巡するのに必要なブラケット規定撮影枚数に達したかどうかを判定する。ここでまだ規定枚数に達していないと判定したときには、Ｎ側へ進んでステップＳ５０７で露出／フォーカス／ホワイトバランスのうちのいずれかを図４の変化量分シフトさせてステップＳ５０２に戻ってステップＳ５０２からステップＳ５０７の処理を繰り返す。
【００９１】
ステップＳ５０４でＣＰＵ１３０が動きベクトル検出部１４３の検出結果を受け取ってステップＳ５０５で被写体の動きの変化量が規定を超えていると判定したときにはステップＳ５０８に進んでブラケット撮影を中止してステップＳ５０８でレンズ駆動部１０３と撮像素子駆動部１３０１とホワイトバランス調整部１３２Ｂとにデフォルト値（初期値）を設定することで単条件モードに切り替えて以降ステップＳ５０２からの処理を繰り返す。
【００９２】
ここで、ステップＳ５０２〜ステップＳ５０５，Ｓ５０８の処理を繰り返し実行しているときに、ステップＳ５０５で、被写体の動きが止まったと判定したときには、Ｙ側へ進んで、ステップＳ５０６でブラケット撮影の撮影枚数が終了枚数に達したかどうかを判定する。
【００９３】
そしてステップＳ５０６でブラケット規定枚数に達していないと判定したときにはＮ側へ進んでステップＳ５０７で単条件モードに移行する直前の撮影条件に戻して、次に、ステップＳ５０７で露出／フォーカス／ホワイトバランスのうちのいずれかを図４の変化量分シフトさせてステップＳ５０２に戻ることで一連条件モードであるブラケット撮影モードに切り替えてステップＳ５０２からの処理を繰り返す。
【００９４】
ステップＳ５０６でブラケット規定枚数に達したと判定したときには撮影条件が一巡したのでＹ側へ進んでステップＳ５０８でレンズ駆動部１０３、撮像素子駆動部１３０１、ＡＷＢゲイン調整部１３２Ｂそれぞれにデフォルト（初期値）の撮影条件を設定してステップＳ５０２に戻ってブラケット撮影の次の一巡を繰り返す。またステップＳ５０３で連続撮影枚数が規定の上限枚数に達した場合にはＹ側へ進んでこのフローの処理を終了する。
【００９５】
ＣＰＵ１３０と画像処理部１４０とが連携して以上の処理を実行すると、ブラケット撮影中に被写体が途中から動いたときにはブラケット撮影が中止されるので、不必要な画像を撮影してしまうことが防止される。また、ブラケット撮影が中止される時には必ず初期値の撮影条件が設定されて単条件モードでの撮影が行なわれるので、ユーザが望む画像が得られる率が高くなる。
【００９６】
ここで、図５のフローでは、ステップＳ５０２でブラケット撮影モードから単条件モードに切り替えて単条件モードで撮影を行なうときには、ステップＳ５０８で撮影条件としてデフォルト（初期値）を設定してデフォルトの撮影条件で撮影を実行しているが、ブラケット撮影が途中まで行なわれているのでそこまでのブラケット撮影で得た画像を解析して単条件モードに切り替えた後の撮影の撮影条件を最適条件に変更してから撮影を行なう処理にしても良い。
【００９７】
また、図５のフローでは、ブラケット撮影を再開するにあたっては中断時の撮影条件に戻してブラケット撮影を再開する処理にしてあるが、ブラケット再開時においても単条件モードからブラケット撮影モードに切り替えるときに撮影条件を最適条件にしてブラケット撮影を再開する処理にすることもできる。
【００９８】
本実施形態においては、図３に示すように画像処理部１４０内に画像判別部１４４を設けて、ブラケット撮影が行なわれている最中にはブラケット撮影で得られた画像を解析してその画像判別部１４４で最適の撮影条件を求めている。このため、ブラケット撮影を中止した後のステップＳ５０２の単条件モードでの撮影や単条件モードからブラケット撮影を再開するときの撮影でその画像判別部１１４で求めた最適の撮影条件で撮影を行なう処理手順を選ぶ構成となっている。この処理手順を選ぶには十字キー等の操作が行なわれるが詳細は省略する。
【００９９】
図６は、ブラケット撮影を打ち切り単条件モードに切り替えた時、および単条件モードからブラケット撮影を再開する時の撮影条件を、最適条件の撮影条件で行なうことにした場合のフローを示す図である。
【０１００】
ステップＳ５０６１とステップＳ５０６２とステップＳ５１１とが追加され、ステップＳ５０８の処理がステップＳ５０８Ａの処理に変更され、ステップＳ５０７の処理がステップＳ５０７Ａの処理に変更されている以外は、図５のフローと同じである。
【０１０１】
変更された箇所を説明する。
【０１０２】
ステップＳ５０７でブラケット撮影が規定枚数に達したと判定したときには、ステップＳ５０６１で、画像判別部１４４（図３参照）で行なわれていた画像の解析結果を下にステップＳ５０６２で画像判別部１４４が最適条件を算出し、ステップＳ５０８ＡでＣＰＵ１３０がその最適条件を受け取って、デフォルト（初期値）としてレンズ駆動部１０３、撮像素子駆動部１３０１、ＡＷＢゲイン調整部１３２Ｂに設定する。そしてステップＳ５０２に戻ることでその最適条件を初期値とする一連の撮影条件によるブラケット撮影を実施する。また、ステップＳ５０５で被写体の動きが規定値を超えているとステップＳ５１１で最適条件が設定されて単条件モードに移行する。さらに、単条件モードからブラケット撮影に戻った時のステップＳ５０７Ａでは、その最適条件を初期値にしてブラケット撮影を再開する。
【０１０３】
すなわち、画像判別部１４４によって本発明にいう適正条件解析部の一例が構成され、撮影制御部の一例を構成するＣＰＵが、本発明にいう、一連条件モード（ブラケット撮影）から単条件モード（静止画撮影）へと切り換えたときに、撮影部に、適正条件解析部の一例を構成する画像判別部によって求められた撮影条件を設定するものであるということになる。
【０１０４】
また、撮影制御部の一例を構成するＣＰＵ１３０が、本発明にいう、動きベクトル検出部１４３による検出結果から単条件モード（静止画撮影）中に被写体の動きが止まったことが判った場合に、その単条件モードから一連条件モード（ブラケット撮影）へと切り換えるものであるということになる。
【０１０５】
さらに、本発明にいう、一連条件モード（ブラケット撮影）中の撮影によって撮影部で得られた画像を解析して、被写体の撮影に適した撮影条件を求める適正条件解析部の一例となる画像判別部１４４を備え、撮影制御部の一例を構成するＣＰＵ１３０が、単条件モードから一連条件モードへと切り換えたときに、撮影部に、適正条件解析部によって求められた撮影条件を初期条件とする一連の撮影条件を設定するものであるということになる。
【０１０６】
次に撮影条件として、図４の中段に示されている補正レベルを変更する場合の処理を説明する。
【０１０７】
図７は、撮影条件として補正レベルを変更する場合の処理手順を示すフローチャートである。
【０１０８】
ステップＳ５０１の処理がステップＳ５０１Ａに変更され、ステップＳ５０７とステップＳ５０８の処理がステップＳ５０７ＢとステップＳ５０８Ｂに変更されている以外は、図５のフローと同じである。
【０１０９】
ステップＳ５０７ＢでＣＰＵ１３０は、露出、フォーカス、ホワイトバランスの代わりにＡＷＢゲイン調整部１３２Ｂの補正レベルを変更してステップＳ５０２でブラケット撮影を実施する。ステップＳ５０５で被写体が動いたと判定したときには、ステップＳ５０８Ｂへ進んで補正レベルをデフォルト（初期値）にしてステップＳ５０２で単条件モードに切り替えて撮影を実施し、ステップＳ５０６でブラケット撮影が規定枚数に達したと判定したときにもステップＳ５０８Ｂへ進んで補正レベルをデフォルト（初期値）にしてステップＳ５０２に戻ることでブラケット撮影の次の一巡を実行し、ステップＳ５０３で規定枚数が終了したと判定したときにはこのフローの処理を終了する。
【０１１０】
ＣＰＵ１３０が画像処理部１４０と連携してこのフローの処理を実行すると、図１、図２のデジタルカメラは、ＡＷＢゲイン調整部１３２Ｂの黒レベルや白レベルの補正レベルを変更しながらのブラケット撮影を、露出、フォーカス、ホワイトバランスを変えながらのブラケット撮影と同じ様に行なうことができる。また、被写体が動いたときにはブラケット撮影を中止してデフォルトの撮影条件で単条件モードでの撮影を行なうことになるので、ユーザが設定した撮影条件が反映されて単条件モードでの撮影が行なわれる。
【０１１１】
ここで、図７のフローでは、ステップＳ５０２でブラケット撮影から単条件撮影モードに切り換えて撮影を行なうときにステップＳ５０８Ｂで設定されたデフォルトの撮影条件で撮影を実行しているが、ブラケット撮影が途中まで行なわれているので図６と同様にそこまでのブラケット撮影で得た画像を画像判別部１４４で解析して最適条件を設定してステップＳ５０２の単条件モードでの撮影を行なったり、ブラケット撮影を再開したりする処理にしても良い。本実施形態ではこのような処理も選択可能な構成となっている。
【０１１２】
図８は、単条件モードの撮影を最適条件で行なうとともに、最適条件を初期値としてブラケット撮影を再開する場合のフローを示す図である。
【０１１３】
ステップＳ５０６１とステップＳ５０６２とステップＳ５１１Ａとが追加され、ステップＳ５０８ＢがステップＳ５０８Ｃに変更されている以外は、図７のフローと同じである。
【０１１４】
図８のフローにすると、図６と同様にブラケット撮影から単条件モードに切り替えられた後の撮影がステップＳ５１１Ａで設定された最適条件で行なわれるとともに、ブラケット撮影が再開されるときにも最適条件を初期条件としたブラケット撮影が再開される。
【０１１５】
そうすると、ユーザが変更したい撮影条件をある程度振って得た画像を解析して最適の撮影条件を求めてから単条件モードでの撮影を行なうことができるので、ユーザが望む画像を得る確率が非常に高くなる。
【０１１６】
次に図４の下方に示されている顔の範囲を変更しながらのブラケット撮影についてその手順を図９を参照して説明する。図３に示す様に本実施形態のデジタルカメラ１には顔検出部１３０Ａが備えられており、撮影画角内に人物の顔が存在する場合にはその顔検出部１３０Ａでその顔が検出される。撮影制御部の一例を構成するＣＰＵ１３０は、図４に示す設定画面で顔範囲などが設定されたときには、その顔検出部１３０Ａで検出された顔が撮影画角中に占める割合が一連の割合となる一連の撮影倍率を一連の撮影条件としてレンズ駆動部１０３に撮影倍率を設定してブラケット撮影を実施する。
【０１１７】
図９は、撮影倍率を変更しながらのブラケット撮影を行なう処理の手順を示すフローチャートである。
【０１１８】
ステップＳ５０１の処理がステップＳ５０１Ｂに変更され、ステップＳ５０７とステップＳ５０８の処理がステップＳ５０７ＤとステップＳ５０８Ｄに変更され、さらにステップＳ５０１１の処理が追加されている以外は、図５のフローと同じである。
【０１１９】
ステップＳ５０１１で顔検出部の動作をアクティブにして顔の検出を開始してステップＳ５０２で顔が複数ある場合にはまず最初の顔にフォーカスを設定して撮影を実施する。図５と同様にステップＳ５０２からステップＳ５０７Ｃまでの処理を実行してステップＳ５０７Ｃで撮影倍率を変更していってステップＳ５０２で順次にブラケット撮影を実施する。ステップＳ５０５で被写体が動いたと判定したときには、ステップＳ５０８Ｃで撮影倍率をデフォルト（初期値）にしてステップＳ５０２に戻ることで単条件モードに切り替える。
【０１２０】
また、ステップＳ５０６でブラケット撮影の規定枚数を終了したと判定したときには、ステップＳ５０８Ｃで撮影倍率をデフォルト（初期値）にしてステップＳ５０２に戻ることで一連のズーム倍率によるブラケット撮影を再度行なう。ステップＳ５０３で連続撮影規定枚数終了と判定したときにはこのフローの処理を終了する。
【０１２１】
このフローの処理が実行されると、ブラケット撮影においては顔の撮影倍率が変更されながらのブラケット撮影が行なわれ、単条件モードで連続撮影が行なわれるときには顔の撮影倍率がデフォルト（図４の顔範囲）に設定されて撮影が行なわれる。ユーザが操作により設定した倍率の画像が必ず得られるのでユーザが望む画像が確実に得られることとなる。
【０１２２】
すなわち、撮影画角に占める顔の割合が操作によって設定される割合設定部を備え、撮影制御部が、一連条件モードから単条件モードへと切り換えたときに、撮影部に、顔検出部によって検出された顔が撮影部の撮影画角に占める割合が撮影画角設定部で設定された割合となる撮影倍率を撮影部に設定するものであるということになる。
【０１２３】
最後に、顔検出部１３０Ａで検出される顔に対する撮影の優先度が操作によって設定される場合を説明する。撮影画角内に人物が多数いる場合には、自分が撮影したい人とは別の人にフォーカスがあってしまう画像が得られてしまうことがあるので、予め優先順位を設定することができるようにしておくと良いので、本実施形態では優先順位の設定を採用している。。
【０１２４】
図１０は、十字キー１２２の操作により顔の撮影の優先度が設定される場合の状況を説明する図である。
【０１２５】
図１０に示す様に、画角内で検出された顔には自動で番号が付与され、ユーザは十字キーの操作により図の下段に示されている「優先順位」欄の四角に、自分が望む順で顔の番号を指定していく。これにより顔の撮影の優先順位が設定される。つまりこの例では、十字キーが、優先度設定部の一例を構成する。
【０１２６】
こうして十字キーの操作により優先順位が設定されると、ＣＰＵ１３０は、優先度に従った順序で各顔に合った各フォーカスを含んだ一連のフォーカスを一連の撮影条件としてレンズ駆動部に駆動条件を設定してブラケット撮影を実施する。
【０１２７】
図１１は、ＣＰＵ１３０が実行する顔の優先順位にしたがってブラケット撮影を行なうときの処理手順を示すフローチャートである。
【０１２８】
ステップＳ５０１１が追加され、ステップＳ５０１の処理がステップＳ５０１Ｅに変更され、ステップＳ５０６とステップＳ５０７とステップＳ５０８の処理がステップＳ５０６ＥとステップＳ５０７ＥとステップＳ５０８Ｅに変更されている以外は、図５のフローと同じである。
【０１２９】
ステップＳ５０６ＥとステップＳ５０７Ｅで、顔の優先順位にしたがって、フォーカスを順次に各顔に設定してステップＳ５０２でブラケット撮影を順次に行なう。被写体が動いた時は、ステップＳ５０８Ｅで優先度が最も高い顔にフォーカスを設定して単条件モードに移行する。
【０１３０】
このフローの処理が実行されると、優先順位にしたがって各顔にフォーカスが順次に設定されて順次に撮影が行なわれる。複数の人が撮影画角中にいる場合には、優先順位の高い部分にある顔が優先的に撮影されるようになるので、フォーカスが自分が撮影したい人以外にあわされ撮影されることがなくなる。
【図面の簡単な説明】
【０１３１】
【図１】本発明の撮影装置の第１実施形態であるデジタルカメラを斜め上前方から見た外観斜視図である。
【図２】図１に示すデジタルカメラの背面を示す外観図である。
【図３】図１、図２に示したデジタルカメラ１００の内部構成を示すブロック図である。
【図４】メニューボタンの操作によりＬＣＤパネル上に表示される撮影条件の設定画面を説明する図である。
【図５】撮影制御部の一例であるＣＰＵ１３０と動きベクトル検出部を備える画像処理部１４０とが連携して実行する撮影処理の処理手順を示すフローチャートである。
【図６】最後の撮影を最適条件で行なう構成するとともに、最適条件からブラケット撮影を再開する場合のフローを示す図である。
【図７】撮影条件として補正レベルを変更する場合の処理手順を示すフローチャートである。
【図８】最後の撮影を最適条件で行なう構成するとともに、最適条件からブラケット撮影を再開する場合のフローを示す図である。
【図９】撮影倍率を変えながらのブラケット撮影を行なうときの処理の手順を示すフローチャートである。
【図１０】十字キーの操作により優先度が設定される場合の状況を説明する図である。
【図１１】ＣＰＵ１３０が実行する顔の優先順位にしたがってブラケット撮影を行なうときの処理手順を示すフローチャートである。
【符号の説明】
【０１３２】
１００    デジタルカメラ
１１１１  撮影レンズ
１１１    ズーム鏡胴
１１２    フラッシュ発光窓
１１３    ＡＦ補助光ランプ
１１４    電源スイッチ
１１５    レリーズボタン
１１６    モードダイヤル
１１７０    表示制御部
１１７    ＬＣＤ
１１７Ａ    ＬＣＤパネル
１１８    ＭＥＮＵ／ＯＫボタン
１１９    ＤＩＳＰ／ＢＡＣＫボタン
１２０    フォトモードボタン
１２１    再生ボタン
１２２    十字キー
１２３    ズームボタン
１２４    ファインダ
１３０    ＣＰＵ
１３０Ｂ    アドレスバス
１３０Ｃ    データバス
１０３    レンズ駆動部
１３１    撮像素子
１３０１    撮像素子駆動部
１３２    撮像信号処理部
１４０    画像処理部
１４１    メモリ制御部
１４２    デジタル信号処理部
１４３    動きベクトル検出部
１４４    画像判別部
１４５    圧縮伸長処理部
１４６    積算部
１５０    外部メディア制御部
【図１】
2009147853.tif 000003
【図２】
2009147853.tif 000004
【図３】
2009147853.tif 000005
【図４】
2009147853.tif 000006
【図５】
2009147853.tif 000007
【図６】
2009147853.tif 000008
【図７】
2009147853.tif 000009
【図８】
2009147853.tif 000010
【図９】
2009147853.tif 000011
【図１０】
2009147853.tif 000012
【図１１】
2009147853.tif 000013